(57)【要約】【課題】レンズ調整機構の調整を行った後に、誤って再度調整操作を行ってしまう事態を回避できるプロジェクターを提供する。【解決手段】プロジェクター１は、光源（光源装置１１）と、光源から射出された光を、画像情報に応じて画像光に変調する光変調装置（液晶ライトバルブ１２Ｒ，１２Ｇ，１２Ｂ）と、光変調装置で変調された画像光を投写する投写レンズ１３と、投写レンズ１３に対して複数の調整を行う複数のレンズ調整機構１３１，１３２，１３３と、複数のレンズ調整機構が行う複数の調整項目のうちの１つを選択させる第１選択部（リモコン５０）と、第１選択部によって選択された調整項目に応じたレンズ調整の操作を受け付ける調整受付部（リモコン５０）と、第１選択部によって、連続して同一の調整項目が選択され、調整受付部がレンズ調整の操作を受け付けた場合、操作を確認させるための確認画像を投写する画像投写部１０と、を備える。【選択図】図１
2015111751.tif 000002
【特許請求の範囲】
【請求項１】
光源と、
前記光源から射出された光を、画像情報に応じて画像光に変調する光変調装置と、
前記光変調装置で変調された前記画像光を投写する投写レンズと、
前記投写レンズに対して複数の調整を行う複数のレンズ調整機構と、
前記複数のレンズ調整機構が行う複数の調整項目のうちの１つを選択させる第１選択部と、
前記第１選択部によって選択された調整項目に応じたレンズ調整の操作を受け付ける調整受付部と、
前記第１選択部によって、連続して同一の調整項目が選択され、前記調整受付部がレンズ調整の操作を受け付けた場合、操作を確認させるための確認画像を投写する画像投写部と、
を備えることを特徴とするプロジェクター。
【請求項２】
請求項１に記載のプロジェクターであって、
前記レンズ調整機構が行う前記複数の調整項目は、
焦点調整のためのフォーカス調整項目、または、投写画角を調整するズーム調整項目、または、前記投写レンズを移動させることによって画像の投写位置を調整するレンズシフト調整項目のうちの少なくとも２つを含むことを特徴とするプロジェクター。
【請求項３】
請求項１または２に記載のプロジェクターであって、
前記確認画像には、前記第１選択部によって選択されている調整項目のレンズ調整を続行するか否かを選択させる続行可否の選択項目が表示されていることを特徴とするプロジェクター。
【請求項４】
請求項３に記載のプロジェクターであって、
前記確認画像が投写されている状態において、続行可または続行否の選択を受け付ける第２選択部と、
前記第２選択部によって、続行可が選択された場合には、調整項目のレンズ調整を行う状態に移行させ、続行否が選択された場合には、調整項目が選択されていない状態に移行させる制御部と、
をさらに備えることを特徴とするプロジェクター。
【請求項５】
請求項４に記載のプロジェクターと、前記プロジェクターを遠隔操作するためのリモートコントローラーとを備えたプロジェクターシステムであって、
前記第１選択部、前記第２選択部、および前記調整受付部は、前記リモートコントローラーに、操作ボタンとして備わることを特徴とするプロジェクターシステム。
【請求項６】
光源と、前記光源から射出された光を、画像情報に応じて画像光に変調する光変調装置と、前記光変調装置で変調された前記画像光を投写する投写レンズと、前記投写レンズに対して複数の調整を行う複数のレンズ調整機構と、を備えるプロジェクターの制御方法であって、
前記複数のレンズ調整機構が行う複数の調整項目のうちの１つを選択させる第１選択ステップと、
前記第１選択ステップによって選択された調整項目に応じたレンズ調整の操作を受け付ける調整受付ステップと、
前記第１選択ステップによって、連続して同一の調整項目が選択され、前記調整受付ステップによってレンズ調整の操作を受け付けた場合、操作を確認させるための確認画像を投写する画像投写ステップと、
を備えることを特徴とするプロジェクターの制御方法。
【発明の詳細な説明】
【技術分野】
【０００１】
本発明は、プロジェクター、プロジェクターシステム、およびプロジェクターの制御方法に関する。
【背景技術】
【０００２】
従来、焦点調整のための電動フォーカス、投写画角を調整する電動ズーム、投写レンズを移動させることによって画像の投写位置を調整する電動レンズシフトといった各レンズ調整機構を備えたプロジェクターが知られている。このようなプロジェクターを使用する場合、ユーザーが最適な状態に調整した後で、自分自身または他のユーザーが誤って調整操作をしてしまい、調整位置がずれてしまうことがあった。特許文献１には、フォーカス調整動作、ズーム調整動作、レンズシフト調整動作といったレンズ調整機構の調整動作をロック（禁止）することが可能なプロジェクターが開示されている。
【先行技術文献】
【特許文献】
【０００３】
【特許文献１】特開２０１１−２２７１１９号公報
【発明の概要】
【発明が解決しようとする課題】
【０００４】
しかしながら、特許文献１のプロジェクターにおいても、調整終了後にロックを忘れてしまうと、調整値が変更されてしまう場合があった。また、調整する度にロックをするのも、操作上わずらわしいという問題もあった。このため、調整動作のロックをしなくても、レンズ調整機構の調整を行った後に、誤って再度調整操作を行ってしまう事態を回避できるプロジェクターが求められていた。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、光源と、前記光源から射出された光を、画像情報に応じて画像光に変調する光変調装置と、前記光変調装置で変調された前記画像光を投写する投写レンズと、前記投写レンズに対して複数の調整を行う複数のレンズ調整機構と、前記複数のレンズ調整機構が行う複数の調整項目のうちの１つを選択させる第１選択部と、前記第１選択部によって選択された調整項目に応じたレンズ調整の操作を受け付ける調整受付部と、前記第１選択部によって、連続して同一の調整項目が選択され、前記調整受付部がレンズ調整の操作を受け付けた場合、操作を確認させるための確認画像を投写する画像投写部と、を備えることを特徴とする。
【０００７】
このようなプロジェクターによれば、複数のレンズ調整機構は、投写レンズに対して複数の調整を行う。第１選択部は、複数の調整項目のうちの１つを選択させ、調整受付部は選択された調整項目のレンズ調整の操作を受け付ける。画像投写部は、連続して同一の調整項目が選択され、調整受付部がレンズ調整の操作を受け付けた場合、確認画像を投写する。これにより、連続して同一の調整項目が選択されて、レンズ調整操作がなされたときに、確認画面を投写することで、ユーザーは、同一の調整項目を連続して調整しようとしていることを認識できる。よって、一度調整した後に、誤って再度調整してしまう事態を回避できる。
【０００８】
［適用例２］上記適用例に記載のプロジェクターにおいて、前記レンズ調整機構が行う前記複数の調整項目は、焦点調整のためのフォーカス調整項目、または、投写画角を調整するズーム調整項目、または、前記投写レンズを移動させることによって画像の投写位置を調整するレンズシフト調整項目のうちの少なくとも２つを含むことを特徴とする。
【０００９】
このようなプロジェクターによれば、複数の調整項目は、フォーカス調整項目、または、ズーム調整項目、または、レンズシフト調整項目のうちの少なくとも２つを含む。これにより、確認画像が投写されると、ユーザーは、これらの調整項目のうちの同一の調整項目を連続して調整しようとしていることを認識できる。よって、一度調整した後に、誤って再度調整してしまう事態を回避できる。
【００１０】
［適用例３］上記適用例に記載のプロジェクターにおいて、前記確認画像には、前記第１選択部によって選択されている調整項目のレンズ調整を続行するか否かを選択させる続行可否の選択項目が表示されていることを特徴とする。
【００１１】
このようなプロジェクターによれば、確認画像には、選択されている調整項目のレンズ調整を続行するか否かを選択させる続行可否の選択項目が表示されている。これにより、ユーザーは、レンズ調整を続行するか否かを選択することができる。
【００１２】
［適用例４］上記適用例に記載のプロジェクターにおいて、前記確認画像が投写されている状態において、続行可または続行否の選択を受け付ける第２選択部と、前記第２選択部によって、続行可が選択された場合には、調整項目のレンズ調整を行う状態に移行させ、続行否が選択された場合には、調整項目が選択されていない状態に移行させる制御部と、をさらに備えることを特徴とする。
【００１３】
このようなプロジェクターによれば、第２選択部によって、続行可が選択された場合には、調整項目のレンズ調整を行う状態に移行し、続行否が選択された場合には、調整項目が選択されていない状態に移行する。これにより、ユーザーは、自らの意思によって、再度調整するか否かを選択することができる。
【００１４】
［適用例５］本適用例に係るプロジェクターシステムは、上記適用例に記載のプロジェクターと、前記プロジェクターを遠隔操作するためのリモートコントローラーとを備えたプロジェクターシステムであって、前記第１選択部、前記第２選択部、および前記調整受付部は、前記リモートコントローラーに、操作ボタンとして備わることを特徴とする。
【００１５】
このようなプロジェクターシステムによれば、第１選択部、第２選択部、および調整受付部は、リモートコントローラーに操作ボタンとして備わる。これにより、プロジェクターのレンズ調整機構を遠隔操作することが可能になる。
【００１６】
［適用例６］本適用例に係るプロジェクターの制御方法は、光源と、前記光源から射出された光を、画像情報に応じて画像光に変調する光変調装置と、前記光変調装置で変調された前記画像光を投写する投写レンズと、前記投写レンズに対して複数の調整を行う複数のレンズ調整機構と、を備えるプロジェクターの制御方法であって、前記複数のレンズ調整機構が行う複数の調整項目のうちの１つを選択させる第１選択ステップと、前記第１選択ステップによって選択された調整項目に応じたレンズ調整の操作を受け付ける調整受付ステップと、前記第１選択ステップによって、連続して同一の調整項目が選択され、前記調整受付ステップによってレンズ調整の操作を受け付けた場合、操作を確認させるための確認画像を投写する画像投写ステップと、を備えることを特徴とする。
【００１７】
このようなプロジェクターの制御方法によれば、連続して同一の調整項目が選択されて、レンズ調整操作がなされたときに、確認画面を投写することで、ユーザーは、同一の調整項目を連続して調整しようとしていることを認識できる。よって、一度調整した後に、誤って再度調整してしまう事態を回避できる。
【００１８】
また、上述したプロジェクター、プロジェクターシステム、およびプロジェクターの制御方法が、プロジェクターに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ（登録商標）  Ｄｉｓｃ、光磁気ディスク、不揮発性メモリーカード、プロジェクターの内部記憶装置（ＲＡＭ（Random Access Memory）やＲＯＭ（Read Only Memory）等の半導体メモリー）、および外部記憶装置（ＵＳＢ（Universal Serial Bus）メモリー等）等、前記コンピューターが読み取り可能な種々の媒体を利用することができる。
【図面の簡単な説明】
【００１９】
【図１】実施形態に係るプロジェクターシステムの概略構成を示すブロック図。
【図２】リモコンの外観図。
【図３】実施形態に係るプロジェクターシステムのレンズ調整処理のフローチャート。
【図４】実施形態に係るプロジェクターシステムのレンズ調整処理のフローチャート。
【図５】レンズ調整画面の説明図であり、（ａ）は、レンズシフト調整画面の説明図、（ｂ）は、ズーム調整画面の説明図、（ｃ）は、フォーカス調整画面の説明図。
【図６】調整続行確認画面の説明図であり、（ａ）は、レンズシフト調整続行確認画面の説明図、（ｂ）は、ズーム調整続行確認画面の説明図、（ｃ）は、フォーカス調整続行確認画面の説明図。
【図７】実施形態に係るプロジェクターシステムのレンズ調整処理の状態遷移図。
【発明を実施するための形態】
【００２０】
（実施形態）
以下、実施形態として、レンズ調整機構を有するプロジェクター、および、プロジェクターシステムについて説明する。
【００２１】
図１は、本実施形態に係るプロジェクターシステムの概略構成を示すブロック図である。図１を使用して、プロジェクターシステム１００、および、プロジェクター１の内部構成について説明する。
【００２２】
プロジェクターシステム１００は、プロジェクター１、および、リモコン（リモートコントローラー）５０を備えている。
【００２３】
プロジェクター１は、画像投写部１０、制御部２０、操作受付部２１、信号受信部２２、光源制御部２３、フォーカス制御部２４、ズーム制御部２５、レンズシフト制御部２６、調整量記憶部２７、最終調整機構記憶部２８、画像情報入力部３０、画像処理部３１、ＯＳＤ処理部３２等を備えている。これらの構成部は、図示しない筐体に収容、または、配置されている。
【００２４】
画像投写部１０は、光源としての光源装置１１、光変調装置としての３つの液晶ライトバルブ１２Ｒ，１２Ｇ，１２Ｂ、投写レンズ１３、液晶駆動部１４、フォーカス調整機構１３１、ズーム調整機構１３２、レンズシフト調整機構１３３等で構成されている。
【００２５】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２６】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、複数の画素（図示せず）がマトリクス状に配列された矩形状の画素領域を備えており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂの画素領域を透過することによって変調され、画像情報に応じた画像光が色光毎に形成される。形成された各色の画像光は、図示しない色合成光学系によって画素毎に合成されてカラーの画像光となった後、投写レンズ１３によってスクリーンＳＣ等の投写面に拡大投写される。
【００２７】
投写レンズ１３は、フォーカスレンズ１３ａを有しており、フォーカスレンズ１３ａの位置を移動することで焦点調整（フォーカス調整）を可能としている。また、投写レンズ１３は、ズームレンズ１３ｂを有しており、ズーム状態を変更することで投写画角の調整（ズーム調整）を可能としている。
【００２８】
フォーカス調整機構１３１は、モーターおよびギヤ等（いずれも図示せず）により構成され、フォーカス制御部２４による制御に基づいて、フォーカスレンズ１３ａを駆動（移動）し、フォーカス調整を行う。また、フォーカス調整機構１３１は、フォーカスレンズ１３ａの位置をフォーカス量として検出する。そして、検出結果であるフォーカス量をフォーカス制御部２４に出力する。本実施形態では、フォーカス量を検出する方法としては、フォーカスレンズ１３ａの変化量をエンコーダー等（図示せず）によって検出する。なお、フォーカス量を検出する他の方法としては、フォーカス調整機構１３１のモーターをステッピングモーターとし、そのステッピングモーターのステップ数に基づいて検出するようにしてもよい。
【００２９】
ズーム調整機構１３２は、モーターおよびギヤ等（いずれも図示せず）により構成され、ズーム制御部２５による制御に基づいて、ズームレンズ１３ｂを駆動（移動）し、ズーム調整を行う。また、ズーム調整機構１３２は、ズームレンズ１３ｂのズーム状態をズーム量として検出する。そして、検出結果であるズーム量をズーム制御部２５に出力する。本実施形態では、ズーム量を検出する方法としては、ズームレンズ１３ｂの変化量をエンコーダー等（図示せず）によって検出する。なお、ズーム量を検出する他の方法としては、ズーム調整機構１３２のモーターをステッピングモーターとし、そのステッピングモーターのステップ数に基づいて検出するようにしてもよい。
【００３０】
レンズシフト調整機構１３３は、投写レンズ１３を移動させるモーターおよびギヤ等（いずれも図示せず）により構成され、レンズシフト制御部２６による制御に基づいて、投写レンズ１３を投写方向に対して上下方向または左右方向に移動させ、これにより投写画像の投写位置を上下または左右に移動させる。また、レンズシフト調整機構１３３は、投写レンズ１３のレンズシフト状態をレンズシフト量として検出する。そして、検出結果であるレンズシフト量をレンズシフト制御部２６に出力する。本実施形態では、レンズシフト量を検出する方法としては、投写レンズ１３の位置変化量をエンコーダー等（図示せず）によって検出する。なお、レンズシフト量を検出する他の方法としては、レンズシフト調整機構１３３のモーターをステッピングモーターとし、そのステッピングモーターのステップ数に基づいて検出するようにしてもよい。
【００３１】
上述したフォーカス調整機構１３１、ズーム調整機構１３２、およびレンズシフト調整機構１３３がレンズ調整機構に相当する。
【００３２】
制御部２０は、ＣＰＵ（Central Processing Unit）、各種データの一時記憶等に用いられるＲＡＭ、不揮発性のメモリーであるＲＯＭ（いずれも図示せず）等を備え、ＲＯＭに記憶されている制御プログラムに従ってＣＰＵが動作することにより、プロジェクター１の動作を統括制御する。また、制御部２０は、タイマー（図示せず）を備えており、所定の時間を計時することができる。
【００３３】
操作受付部２１は、プロジェクター１の筐体の外面に備えられており、プロジェクター１に対して各種指示を行うための複数の操作キー（操作ボタン）等を備えている。操作受付部２１が備える操作キーとしては、電源のオン／オフを行うための「電源キー」や、入力された画像情報を切り換えるための「入力切換キー」、各種設定を行うためのメニュー画面の表示／非表示を切り換える「メニューキー」、フォーカス調整を開始するための「フォーカス調整開始キー」、ズーム調整を開始するための「ズーム調整開始キー」、レンズシフト調整を開始するための「レンズシフト調整開始キー」、メニュー画面におけるカーソルの移動や各レンズ調整状態における調整値の変更等に用いられる「カーソルキー」、各種設定を決定するための「決定キー」等がある。ユーザーが操作受付部２１を操作すると、操作受付部２１は、ユーザーの操作内容に応じた制御情報を制御部２０に出力する。
【００３４】
リモコン５０は、ユーザーの操作内容に応じた赤外線等の操作信号を発し、プロジェクター１の本体に対して各種指示を行う。
図２は、リモコン５０の外観図である。
【００３５】
図２に示すように、リモコン５０は、筐体で覆われた構成を有しており、その表面には、複数の操作キー（操作ボタン）を備えている。リモコン５０が備える操作キーとしては、プロジェクター１の電源のオン／オフを行うための「電源キーＢ０」や、入力された画像情報を切り換えるための「入力切換キーＢ７」、各種設定を行うためのメニュー画面の表示／非表示を切り換える「メニューキーＢ６」、フォーカス調整を開始するための「フォーカス調整開始キーＢ３」、ズーム調整を開始するための「ズーム調整開始キーＢ２」、レンズシフト調整を開始するための「レンズシフト調整開始キーＢ１」、メニュー画面におけるカーソルの移動や各レンズ調整状態における調整値の変更等に用いられる「カーソルキーＢ４」、各種設定を決定するための「決定キーＢ５」等がある。リモコン５０が発した操作信号は、信号受信部２２が受信する。
【００３６】
図１に戻り、信号受信部２２は、赤外線受信モジュール等を有して構成され、リモコン５０から発せられた操作信号を受信し、制御情報として制御部２０に出力する。
【００３７】
光源制御部２３は、制御部２０の指示に基づいて、光源装置１１に対する電力の供給と停止とを制御し、光源装置１１の点灯および消灯を切り換える。
【００３８】
フォーカス制御部２４は、制御部２０の指示に基づいて、フォーカス調整機構１３１を制御してフォーカスレンズ１３ａを移動させ、フォーカス調整を行う。また、フォーカス制御部２４は、フォーカス調整機構１３１からフォーカス量を入力し、制御部２０に出力する。
【００３９】
ズーム制御部２５は、制御部２０の指示に基づいて、ズーム調整機構１３２を制御してズームレンズ１３ｂを移動させ、ズーム調整を行う。また、ズーム制御部２５は、ズーム調整機構１３２からズーム量を入力し、制御部２０に出力する。
【００４０】
レンズシフト制御部２６は、制御部２０の指示に基づいて、レンズシフト調整機構１３３を制御して投写レンズ１３を移動させ、レンズシフト調整を行う。また、レンズシフト制御部２６は、レンズシフト調整機構１３３からレンズシフト量を入力し、制御部２０に出力する。
【００４１】
調整量記憶部２７は、不揮発性のメモリーからなり、レンズ調整機構のフォーカス量、ズーム量、およびレンズシフト量といった調整量（以降、「調整値」とも呼ぶ。）を記憶する。調整量記憶部２７に対するフォーカス量、ズーム量、およびレンズシフト量の書き込みは、制御部２０が行う。また、記憶されたフォーカス量、ズーム量、およびレンズシフト量は、制御部２０によって読み出される。制御部２０は、フォーカス量、ズーム量、およびレンズシフト量を、プロジェクター１の電源オン時に読み出し、フォーカス制御部２４、ズーム制御部２５、レンズシフト制御部２６に出力して、各レンズ調整機構を制御させて、調整量記憶部２７に記憶されたレンズ調整機構の状態に設定することが可能である。
【００４２】
最終調整機構記憶部２８は、ＲＡＭ等の揮発性のメモリーからなり、最後に調整操作が行われたレンズ調整機構（以降、「最終調整機構」とも呼ぶ。）の情報を記憶する。具体的には、フォーカス調整機構１３１、ズーム調整機構１３２、または、レンズシフト調整機構１３３のいずれかを記憶する。最終調整機構記憶部２８は、プロジェクター１の電源が投入された際に、初期化（クリア）される。なお、最終調整機構記憶部２８に対する書き込みは、制御部２０が行う。また、記憶された最終調整機構の情報は、制御部２０によって読み出される。
【００４３】
画像情報入力部３０は、複数の入力端子を備えており、パーソナルコンピューターやビデオ再生装置、メモリーカード、ＵＳＢストレージ、デジタルカメラ等、外部の画像供給装置（図示せず）から各種形式の画像情報（画像信号）が入力される。画像情報入力部３０は、制御部２０からの指示に基づいて画像情報を選択し、入力される画像情報を、画像処理部３１で処理可能な形式の画像データに変換して、画像処理部３１に出力する。
【００４４】
画像処理部３１は、制御部２０の指示に基づいて、画像情報入力部３０から入力される画像データに対して、明るさ、コントラスト、シャープネス、色合い等の調整や、ガンマ補正等の各種画質調整を施す。画像処理部３１は、このような調整および処理を行った画像データをＯＳＤ処理部３２に出力する。
【００４５】
ＯＳＤ処理部３２は、制御部２０の指示に基づいて、メニュー画面やメッセージ画面等のＯＳＤ（オンスクリーンディスプレイ）画像を、画像処理部３１から入力される画像データに重畳する処理を行う。ＯＳＤ処理部３２は、図示しないＯＳＤメモリーを備えており、ＯＳＤ画像を形成するための図形やフォント等を表すＯＳＤ画像データを記憶している。制御部２０が、ＯＳＤ画像の重畳を指示すると、ＯＳＤ処理部３２は、必要なＯＳＤ画像データをＯＳＤメモリーから読み出し、入力画像の所定の位置にＯＳＤ画像が重畳されるように、画像処理部３１から入力される画像データにこのＯＳＤ画像データを合成する。ＯＳＤ画像データが合成された画像データは、液晶駆動部１４に出力される。なお、制御部２０からＯＳＤ画像を重畳する旨の指示がない場合には、ＯＳＤ処理部３２は、画像処理部３１から出力される画像データを、そのまま液晶駆動部１４に出力する。
【００４６】
液晶駆動部１４が、ＯＳＤ処理部３２から入力される画像データに従って液晶ライトバルブ１２Ｒ，１２Ｇ，１２Ｂを駆動すると、液晶ライトバルブ１２Ｒ，１２Ｇ，１２Ｂは、光源装置１１から入射する光を、画像データに応じて画像光に変調し、この画像光が投写レンズ１３から投写される。
【００４７】
次に、プロジェクターシステム１００が、レンズ調整の際に行う処理について、フローチャートを用いて説明する。ここでは、リモコン５０によって、プロジェクター１を遠隔操作する態様について説明する。プロジェクター１の信号受信部２２は、リモコン５０から発せられた操作信号を受信し、制御情報として制御部２０に出力する。
図３は、本実施形態に係るプロジェクターシステム１００のレンズ調整処理のフローチャートである。
【００４８】
プロジェクター１が起動して投写している状態において、リモコン５０のレンズシフト調整開始キーＢ１、ズーム調整開始キーＢ２、またはフォーカス調整開始キーＢ３が押下されると、制御部２０は、ＯＳＤ処理部３２に指示を出して、選択された調整機構のレンズ調整画面を入力画像に重畳して投写表示させる（ステップＳ１０１）。レンズ調整項目（レンズ調整開始キー）の選択を受け付けるリモコン５０が、第１選択部に相当する。ステップＳ１０１が、第１選択ステップに相当する。
【００４９】
ここで、レンズ調整画面について説明する。
図５は、レンズ調整画面の説明図であり、（ａ）は、レンズシフト調整画面の説明図であり、（ｂ）は、ズーム調整画面の説明図であり、（ｃ）は、フォーカス調整画面の説明図である。
【００５０】
図５（ａ）に示すように、レンズシフト調整画面Ｍ１の上部には、「レンズシフト調整」の文字列が表示されている。レンズシフト調整画面Ｍ１の中央部には、操作可能なカーソルキーＢ４のマーク（上下左右方向のマーク）が図示されている。レンズシフト調整画面Ｍ１の下部には、キー入力手順についての説明が表示されている。
【００５１】
図５（ｂ）に示すように、ズーム調整画面Ｍ２の上部には、「ズーム調整」の文字列が表示されている。ズーム調整画面Ｍ２の中央部には、操作可能なカーソルキーＢ４のマーク（左右方向のマーク）が図示されている。ズーム調整画面Ｍ２の下部には、キー入力手順についての説明が表示されている。
【００５２】
図５（ｃ）に示すように、フォーカス調整画面Ｍ３の上部には、「フォーカス調整」の文字列が表示されている。フォーカス調整画面Ｍ３の中央部には、操作可能なカーソルキーＢ４のマーク（左右方向のマーク）が図示されている。フォーカス調整画面Ｍ３の下部には、キー入力手順についての説明が表示されている。
【００５３】
図３に戻り、レンズ調整画面を表示した後、制御部２０は、第１の時間を計測するタイマーをスタートする（ステップＳ１０２）。第１の時間は、本実施形態では３０秒とするが、この時間に限定するものではない。次に、制御部２０は、他のレンズ調整開始キーが押下されたか否かを判断する（ステップＳ１０３）。他のレンズ調整開始キーが押下された場合（ステップＳ１０３：ＹＥＳ）、ステップＳ１０１に移行する。
【００５４】
他のレンズ調整開始キーが押下されていない場合（ステップＳ１０３：ＮＯ）、制御部２０は、第１の時間が経過（タイムアウト）したか否かを判断する（ステップＳ１０４）。第１の時間が経過した場合（ステップＳ１０４：ＹＥＳ）、制御部２０は、タイムアウトしたと判断して、選択されているレンズ調整機構の調整画面を消去する（ステップＳ１１２）。そして、当該レンズ調整処理を終了する。
【００５５】
第１の時間が経過していなければ（ステップＳ１０４：ＮＯ）、制御部２０は、カーソルキーＢ４による調整操作が開始されたか否かを判断する（ステップＳ１０５）。カーソルキーＢ４による調整が開始されていなければ（ステップＳ１０５：ＮＯ）、ステップＳ１０３に移行する（戻る）。調整操作を行う際のリモコン５０が、調整受付部に相当する。また、ステップＳ１０５が、調整受付ステップに相当する。
【００５６】
カーソルキーＢ４による調整が開始されていれば（ステップＳ１０５：ＹＥＳ）、制御部２０は、プロジェクター１が起動（電源オン）されて最初のレンズ調整操作か否かを判断する（ステップＳ１０６）。具体的には、最終調整機構記憶部２８がクリアされているか否かを判断する。
【００５７】
プロジェクター１が起動されて最初のレンズ調整操作でない場合（ステップＳ１０６：ＮＯ）、制御部２０は、選択されているレンズ調整機構が最終調整機構と同じか否かを判断する（ステップＳ１０７）。具体的には、最終調整機構記憶部２８に記憶されているレンズ調整機構と同じか否かを判断する。
【００５８】
選択されているレンズ調整機構が最終調整機構と同じの場合（ステップＳ１０７：ＹＥＳ）、制御部２０は、ＯＳＤ処理部３２に指示を出して、調整続行確認画面を投写表示させる（ステップＳ１０８）。ステップＳ１０８が、画像投写ステップに相当する。
【００５９】
ここで、調整続行確認画面について説明する。調整続行確認画面が、確認画像に相当する。
図６は、調整続行確認画面の説明図であり、（ａ）は、レンズシフト調整続行確認画面の説明図であり、（ｂ）は、ズーム調整続行確認画面の説明図であり、（ｃ）は、フォーカス調整続行確認画面の説明図である。
【００６０】
図６（ａ）に示すように、レンズシフト調整続行確認画面Ｍ４の上部には、「レンズシフト調整」の文字列が表示されている。レンズシフト調整続行確認画面Ｍ４の中央部には、「続けてレンズシフト調整をしますか？」という文字列が表示され、その下方には「はい」／「いいえ」の選択項目が表示されている。レンズシフト調整続行確認画面Ｍ４の最下部には、キー入力手順についての説明が表示されている。
【００６１】
図６（ｂ）に示すように、ズーム調整続行確認画面Ｍ５の上部には、「ズーム調整」の文字列が表示されている。ズーム調整続行確認画面Ｍ５の中央部には、「続けてズーム調整をしますか？」という文字列が表示され、その下方には「はい」／「いいえ」の選択項目が表示されている。ズーム調整続行確認画面Ｍ５の最下部には、キー入力手順についての説明が表示されている。
【００６２】
図６（ｃ）に示すように、フォーカス調整続行確認画面Ｍ６の上部には、「フォーカス調整」の文字列が表示されている。フォーカス調整続行確認画面Ｍ６の中央部には、「続けてフォーカス調整をしますか？」という文字列が表示され、その下方には「はい」／「いいえ」の選択項目が表示されている。フォーカス調整続行確認画面Ｍ６の最下部には、キー入力手順についての説明が表示されている。
【００６３】
図３に戻り、制御部２０は、リモコン５０の操作によって、調整続行確認画面において、調整の続行が選択されたか否かを判断する（ステップＳ１０９）。このときの選択を受け付けるリモコン５０が、第２選択部に相当する。調整の続行が選択されなければ、即ち「いいえ」が選択された場合（ステップＳ１０９：ＮＯ）、ステップＳ１１２に移行する。そして、調整画面を消去して、レンズ調整処理を終了する。
【００６４】
調整の続行が選択されていれば、即ち「はい」が選択された場合（ステップＳ１０９：ＹＥＳ）、制御部２０は、選択されているレンズ調整機構の情報を最終調整機構として、最終調整機構記憶部２８に記憶する（ステップＳ１１０）。そして、制御部２０は、ＯＳＤ処理部３２に指示を出し、調整続行確認画面を消去し、選択されているレンズ調整機構の調整画面を投写表示させる（ステップＳ１１１）。そして、レンズ調整処理へ移行する。レンズ調整処理は、図４に記載する。
【００６５】
プロジェクター１が起動（電源オン）されて最初のレンズ調整操作である場合（ステップＳ１０６：ＹＥＳ）、ステップＳ１１０に移行する。また、選択されているレンズ調整機構が最終調整機構と同じでない場合（ステップＳ１０７：ＮＯ）についても、ステップＳ１１０に移行する。
【００６６】
引き続いて、プロジェクターシステム１００のレンズ調整処理について、フローチャートを用いて説明する。
図４は、本実施形態に係るプロジェクターシステム１００のレンズ調整処理のフローチャートである。
【００６７】
図３から引き続いて、制御部２０は、ユーザーの調整操作に基づいて、レンズシフト制御部２６、ズーム制御部２５、またはフォーカス制御部２４に指示を出して、選択されているレンズ調整機構の調整値を変更する（ステップＳ１２１）。そして、制御部２０は、レンズシフト制御部２６、ズーム制御部２５、またはフォーカス制御部２４に指示を出して、当該調整値に応じたレンズ調整動作を、レンズシフト調整機構１３３、ズーム調整機構１３２、またはフォーカス調整機構１３１に実行させる（ステップＳ１２２）。
【００６８】
制御部２０は、第２の時間を計測するタイマーをスタートする（ステップＳ１２３）。第２の時間は、本実施形態では３０秒とするが、この時間に限定するものではない。制御部２０は、調整操作、即ちカーソルキーＢ４の押下操作を受け付けたか否かを判断する（ステップＳ１２４）。調整操作を受け付けていれば（ステップＳ１２４：ＹＥＳ）、ステップＳ１２１に移行し、レンズ調整を行う。レンズ調整を行う際のリモコン５０が、調整受付部に相当する。また、ステップＳ１２４も、調整受付ステップに相当する。
【００６９】
調整操作を受け付けていなければ（ステップＳ１２４：ＮＯ）、制御部２０は、決定操作、即ち決定キーＢ５の押下操作を受け付けたか否かを判断する（ステップＳ１２５）。決定操作を受け付けていなければ（ステップＳ１２５：ＮＯ）、制御部２０は、第２の時間が経過（タイムアウト）したか否かを判断する（ステップＳ１２６）。第２の時間が経過していなければ（ステップＳ１２６：ＮＯ）、ステップＳ１２４に移行して、調整操作を受け付けたか否かを判断する。
【００７０】
決定操作を受け付けていれば（ステップＳ１２５：ＹＥＳ）、または、第２の時間が経過していれば（ステップＳ１２６：ＹＥＳ）、制御部２０は、ＯＳＤ処理部３２に指示を出して、選択されているレンズ調整機構の調整画面を消去させる（ステップＳ１２７）。そして、当該レンズ調整を終了する。このとき、プロジェクター１は、通常に投写している状態（「通常状態」とも呼ぶ。）に戻る。
【００７１】
次に、プロジェクターシステム１００のレンズ調整処理を、状態遷移の観点から説明する。
図７は、本実施形態に係るプロジェクターシステム１００のレンズ調整処理の状態遷移図である。
【００７２】
図７に示すように、プロジェクターシステム１００は、通常状態ＳＴ０、レンズ調整受付状態ＳＴ１、調整続行確認状態ＳＴ２、レンズ調整状態ＳＴ３に遷移可能となっている。
【００７３】
通常状態ＳＴ０は、プロジェクターシステム１００が、入力された画像情報に基づいた画像を通常に投写表示している状態である。このとき、メニュー画像等は表示していないものとする。通常状態ＳＴ０において、レンズシフト調整開始キーＢ１、ズーム調整開始キーＢ２、またはフォーカス調整開始キーＢ３のいずれかのレンズ調整開始キーが押下されると、レンズ調整受付状態ＳＴ１に遷移する。
【００７４】
レンズ調整受付状態ＳＴ１は、押下（選択）されたレンズ調整開始キーに応じたレンズ調整画面が投写表示される状態である。具体的には、レンズシフト調整画面Ｍ１、ズーム調整画面Ｍ２、フォーカス調整画面Ｍ３のいずれかが表示される。レンズ調整受付状態ＳＴ１において、選択されたレンズ調整機構が最終調整機構記憶部２８に記憶されている最終調整機構と同じで、且つカーソルキーＢ４が押下された場合、プロジェクターシステム１００は、調整続行確認状態ＳＴ２に遷移する。レンズ調整受付状態ＳＴ１において、選択されたレンズ調整機構が最終調整機構と異なり、且つカーソルキーＢ４が押下された場合、プロジェクターシステム１００は、レンズ調整状態ＳＴ３に遷移する。レンズ調整受付状態ＳＴ１において、決定キーＢ５が押下された場合、または、タイマーがタイムアウト（第１の時間）した場合、プロジェクターシステム１００は、通常状態ＳＴ０に遷移する。また、図示しないが、レンズ調整受付状態ＳＴ１において、選択されたレンズ調整機構と異なるレンズ調整開始キーが押下されると、押下されたレンズ調整機構に対応するレンズ調整画面が表示されて、プロジェクターシステム１００は、レンズ調整受付状態ＳＴ１のまま、遷移しない。
【００７５】
調整続行確認状態ＳＴ２は、選択されているレンズ調整開始キーに応じた調整続行確認画面が投写表示される状態である。具体的には、レンズシフト調整続行確認画面Ｍ４、ズーム調整続行確認画面Ｍ５、フォーカス調整続行確認画面Ｍ６のいずれかが表示される。調整続行確認状態ＳＴ２において、「はい」が選択された場合、プロジェクターシステム１００は、レンズ調整状態ＳＴ３に遷移する。調整続行確認状態ＳＴ２において、「いいえ」が選択された場合、プロジェクターシステム１００は、通常状態ＳＴ０に遷移する。
【００７６】
レンズ調整状態ＳＴ３は、選択されているレンズ調整開始キーに応じたレンズ調整画面が投写表示される状態である。具体的には、レンズシフト調整画面Ｍ１、ズーム調整画面Ｍ２、フォーカス調整画面Ｍ３のいずれかが表示される。レンズ調整状態ＳＴ３において、カーソルキーＢ４が押下されると、プロジェクターシステム１００は、調整操作に基づいて、選択されているレンズ調整機構の調整値を変更し、調整値に応じたレンズ調整動作を実行する。このとき、状態は遷移しない。レンズ調整状態ＳＴ３において、決定キーＢ５が押下された場合、または、タイマーがタイムアウト（第２の時間）した場合、通常状態ＳＴ０に遷移する。
【００７７】
上述した実施形態によれば、以下の効果が得られる。
（１）プロジェクターシステム１００は、レンズシフト調整開始キーＢ１、ズーム調整開始キーＢ２、またはフォーカス調整開始キーＢ３のいずれかのレンズ調整開始キーが押下されると、押下されたレンズ調整開始キーに応じたレンズ調整画面を投写表示する。具体的には、レンズシフト調整画面Ｍ１、ズーム調整画面Ｍ２、フォーカス調整画面Ｍ３のいずれかを表示する。そして、プロジェクターシステム１００は、レンズ調整のためのカーソルキーＢ４の押下を受け付ける。カーソルキーＢ４が押下されたとき、選択されているレンズ調整機構が最終調整機構と同一の場合、プロジェクターシステム１００は、調整続行確認画面を投写表示する。具体的には、レンズシフト調整続行確認画面Ｍ４、ズーム調整続行確認画面Ｍ５、フォーカス調整続行確認画面Ｍ６のいずれかを表示する。このように、続けて同一のレンズ調整項目が選択されて、カーソルキーＢ４の押下（レンズ調整操作）がなされたときに、調整続行確認画面を投写表示することで、ユーザーは、同一のレンズ調整項目を連続して調整しようとしていることを認識できる。よって、レンズ調整項目を一度調整した後に、誤って再度調整してしまい、調整値が変更されてしまう事態を回避できるため、利便性が向上する。
【００７８】
（２）プロジェクターシステム１００は、続けて同一のレンズ調整項目が選択されて、その後にレンズ調整操作がなされたときに、調整続行確認画面を投写表示する。よって、続けて同一のレンズ調整開始キーが押下されたときに、直ちに調整続行確認画面を投写表示する態様と比べて、調整続行確認画面が表示される前に、ユーザーが自己判断することが可能になる。つまり、続けて同一のレンズ調整開始キーが押下されたときに、毎回、調整続行確認画面が投写表示される事態を回避できる。
【００７９】
（３）プロジェクターシステム１００の調整続行確認画面には、選択されている調整項目のレンズ調整を続行するか否かを選択させる続行可否の選択項目が表示され、選択可能になっている。これにより、ユーザーは、同一のレンズ調整項目を連続して調整するか否かを選択することが可能となり、有益である。
【００８０】
（４）プロジェクターシステム１００は、調整続行確認画面において、続行可（「はい」）が選択された場合には、選択されている調整項目のレンズ調整状態ＳＴ３に移行する。調整続行確認画面において、続行否（「いいえ」）が選択された場合には、通常状態ＳＴ０に移行する。これにより、ユーザーは、自らの意思によって、再度調整するか否かを選択することができるため、利便性が高い。
【００８１】
（５）プロジェクターシステム１００では、レンズシフト調整開始キーＢ１、ズーム調整開始キーＢ２、フォーカス調整開始キーＢ３、カーソルキーＢ４、決定キーＢ５等は、リモコン５０に操作キー（ボタン）として備わっている。これにより、プロジェクター１のレンズ調整機構を遠隔操作することが可能になるため、利便性が向上する。例えば、プロジェクター１を天井等の高所に固定用の治具を用いて吊り下げて固定設置して投写させる天吊り設置の態様の場合に利便性が高い。
【００８２】
なお、上述した実施形態に限定されず、種々の変更や改良等を加えて実施することが可能である。変形例を以下に述べる。
【００８３】
（変形例１）上記実施形態では、レンズ調整開始、調整続行確認、およびレンズ調整処理は、リモコン５０に備わるキー（ボタン）を用いて行うものとしたが、プロジェクター１の本体に備わるキーパネル、即ち操作受付部２１を用いて行ってもよい。つまり、リモコン５０を使用しない態様としてもよい。この場合に、プロジェクター１が奏する効果は、プロジェクターシステム１００と同様である。
【００８４】
（変形例２）上記実施形態では、レンズシフト調整開始キーＢ１とズーム調整開始キーＢ２とフォーカス調整開始キーＢ３とを備えるものとしたが、調整開始キーを１つとして、押下する度に調整項目を切り換えてもよい。こうすれば、リモコン５０のキー（ボタン）を減らすことができる。また、プロジェクター１の操作受付部２１のキー（ボタン）も減らすことができる。
【００８５】
（変形例３）上記実施形態では、レンズシフト調整開始キーＢ１、ズーム調整開始キーＢ２、フォーカス調整開始キーＢ３を押下することで、レンズ調整受付状態ＳＴ１に移行し、レンズ調整処理を行うものとしたが、メニュー画面にレンズ調整項目を備え、レンズシフト調整項目、ズーム調整項目、フォーカス調整項目を選択できるものとしてもよい。この場合、メニューキーＢ６、カーソルキーＢ４、決定キーＢ５、さらには、レンズシフト調整開始キーＢ１、ズーム調整開始キーＢ２、フォーカス調整開始キーＢ３を操作してレンズ調整処理を行うことが可能である。
【００８６】
（変形例４）上記実施形態では、リモコン５０と信号受信部２２との通信手段は、赤外線を用いた通信手段としたが、これに限定するものではない。例えば、無線通信用電波を用いる通信手段としてもよい。
【００８７】
（変形例５）上記実施形態では、光源装置１１は、放電型の光源ランプ１１ａを有して構成されているが、ＬＥＤ（Light Emitting Diode）光源やレーザー等の固体光源や、その他の光源を用いることもできる。
【００８８】
（変形例６）上記実施形態では、プロジェクター１は、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を光変調装置として用いることもできる。
【符号の説明】
【００８９】
１…プロジェクター、１００…プロジェクターシステム、１０…画像投写部、１１…光源装置、１１ａ…光源ランプ、１１ｂ…リフレクター、１２Ｒ，１２Ｇ，１２Ｂ…液晶ライトバルブ、１３…投写レンズ、１３ａ…フォーカスレンズ、１３ｂ…ズームレンズ、１４…液晶駆動部、２０…制御部、２１…操作受付部、２２…信号受信部、２３…光源制御部、２４…フォーカス制御部、２５…ズーム制御部、２６…レンズシフト制御部、２７…調整量記憶部、２８…最終調整機構記憶部、３０…画像情報入力部、３１…画像処理部、３２…ＯＳＤ処理部、５０…リモコン、１３１…フォーカス調整機構、１３２…ズーム調整機構、１３３…レンズシフト調整機構、ＳＣ…スクリーン。
【図１】
2015111751.tif 000003
【図２】
2015111751.tif 000004
【図３】
2015111751.tif 000005
【図４】
2015111751.tif 000006
【図５】
2015111751.tif 000007
【図６】
2015111751.tif 000008
【図７】
2015111751.tif 000009